(57)【要約】【課題】庫内の低温の熱がトリムの庫外側に熱伝導することを抑制できるオープンショーケースを提供する。【解決手段】ケース本体２と、ケース本体２の少なくとも一方の側部に装着される側板体３と、を備え、側板体３は、内板４０と、外板４１と、内板４０および外板４１の周縁部に組付けられる金属製のトリム４４，４５，…と、内板４０と外板４１とトリム４４，４５，…とにより形成される空間内に充填される断熱材４７と、トリム４４，４５，…の周縁部に沿って配置される透明板５０と、から構成され、透明板５０を介して庫外Ｂから庫内Ａを視認可能な窓部５を側板体３に備えるオープンショーケース１であって、トリム４４，４５，…は、庫内Ａ側と庫外Ｂ側との間において熱伝導率を低下させる低熱伝導領域６ａ，６ｂが少なくとも透明板５０の周縁部５０ｂ，５０ｃに対向する部位に構成されている。【選択図】図６
2019013489.tif 000002
【特許請求の範囲】
【請求項１】
ケース本体と、該ケース本体の少なくとも一方の側部に装着される側板体と、を備え、該側板体は、内板と、外板と、該内板および該外板の周縁部に組付けられる金属製のトリムと、該内板と該外板と該トリムとにより形成される空間内に充填される断熱材と、該トリムの周縁部に沿って配置される透明板と、から構成され、該透明板を介して庫外から庫内を視認可能な窓部を該側板体に備えるオープンショーケースであって、
前記トリムは、庫内側と庫外側との間において熱伝導率を低下させる低熱伝導領域が少なくとも前記透明板の周縁部に対向する部位に構成されていることを特徴とするオープンショーケース。
【請求項２】
前記低熱伝導領域は、前記内板と前記外板との離間方向において複数の前記トリムが互いに非接触状態で離間配置されることで構成されていることを特徴とする請求項１に記載のオープンショーケース。
【請求項３】
前記トリムは前記内板から前記外板に亘って一体に形成されたものであり、前記低熱伝導領域は前記トリムに配設される孔であることを特徴とする請求項１に記載のオープンショーケース。
【請求項４】
前記孔は、長孔であり、その長手方向が前記トリムの長手方向に沿って千鳥状に複数形成されていることを特徴とする請求項３に記載のオープンショーケース。
【請求項５】
前記側板体は、前記内板および前記外板の周縁部の間に低熱伝導性のスペーサが配設されていることを特徴とする請求項１ないし４のいずれかに記載のオープンショーケース。
【請求項６】
前記低熱伝導領域は、前記透明板の周端面に取着される樹脂製の受け部材で被装されていることを特徴とする請求項１ないし５のいずれかに記載のオープンショーケース。
【発明の詳細な説明】
【技術分野】
【０００１】
本発明は、冷凍・冷蔵仕様のオープンショーケースに関する。
【背景技術】
【０００２】
冷凍・冷蔵仕様のオープンショーケースは、スーパーマーケット、コンビニエンスストア、デパート等の食品売場等に設置され、日配食品や生鮮食料品等の冷却が必要な商品を陳列するために用いられている。
【０００３】
特許文献１に開示されているオープンショーケースは、商品を陳列し保冷可能な保冷室を備えるケース本体と、ケース本体の両側部に取付けられる一対の側板体と、から主に構成されている。側板体は、鋼材の薄板により形成された内板および外板と、ステンレス鋼材の薄板が断面視コ字状に屈曲形成され内板と外板との周縁部を塞ぐように配置されたトリムと、内板と外板とトリムとにより形成される空間内に充填された断熱材と、を備えており、ケース本体の両側部に取付けられることで保冷室内（以降、「庫内」と表記することもある）を循環する冷気が、保冷室外（以降、「庫外」と表記することもある）に流出することを防いでいる。
【０００４】
また、側板体は、該側板体の前方が切欠かれて形成された切欠き部にこの切欠き部に沿った形状のガラス（透明板）が取付けられた窓部を備え、保冷室の側方位置に配設された該窓部を介して庫内が視認可能となっている。ガラスの周縁部には、硬質塩化ビニル製の受け部材が嵌合されており、ガラスの周縁部を保護するとともに、窓部から冷気が流出することを抑制している。上述したように、トリムは、ステンレス鋼材で形成されているため、側板体の窓部にガラスを堅牢に組付けることができるとともに、側板体の周縁部を外部からの衝撃から保護することができる。
【先行技術文献】
【特許文献】
【０００５】
【特許文献１】特許第２８４０５０６号公報（第２，３頁、第１図）
【発明の概要】
【発明が解決しようとする課題】
【０００６】
しかしながら、特許文献１にあっては、トリムはステンレス鋼板を屈曲形成することで断面視略コ字状に形成され、かつ、内板および外板の周縁部において該内板から該外板に亘るように組付けられていることから、窓部に配設されるトリムは、庫内側が冷却されることで低温の熱を庫外側に熱伝導するとともに、庫外側の相対的に暖かい空気に晒されているため、トリムの庫外側で結露が発生してしまう虞があった。
【０００７】
本発明は、このような問題点に着目してなされたもので、庫内の低温の熱がトリムの庫外側に熱伝導することを抑制できるオープンショーケースを提供することを目的とする。
【課題を解決するための手段】
【０００８】
前記課題を解決するために、本発明のオープンショーケースは、
ケース本体と、該ケース本体の少なくとも一方の側部に装着される側板体と、を備え、該側板体は、内板と、外板と、該内板および該外板の周縁部に組付けられる金属製のトリムと、該内板と該外板と該トリムとにより形成される空間内に充填される断熱材と、該トリムの周縁部に沿って配置される透明板と、から構成され、該透明板を介して庫外から庫内を視認可能な窓部を該側板体に備えるオープンショーケースであって、
前記トリムは、庫内側と庫外側との間において熱伝導率を低下させる低熱伝導領域が少なくとも前記透明板の周縁部に対向する部位に構成されていることを特徴としている。
この特徴によれば、トリムは透明板の周縁部に対向する位置において低熱伝導領域が配設されているため、トリムを介して庫内側から庫外側へ低温の熱の伝導が少なくなり、トリムの庫外側が冷却されることを抑制できる。
【０００９】
前記低熱伝導領域は、前記内板と前記外板との離間方向において複数の前記トリムが互いに非接触状態で離間配置されることで構成されていることを特徴としている。
この特徴によれば、複数のトリムが庫内側と庫外側とに互いに非接触状態で離間配置されているため、隣接するトリムとの間に空間が形成されることで隣接するトリム間において熱伝導し難いことから、トリムを介して庫内の低温の熱が庫外側に熱伝導することを防ぐことができる。
【００１０】
前記トリムは前記内板から前記外板に亘って一体に形成されたものであり、前記低熱伝導領域は前記トリムに配設される孔であることを特徴としている。
この特徴によれば、一部品で形成されたトリムに低熱伝導領域を構成することができるため、トリムを取付けるだけで熱伝導を抑制できることから部品点数が抑えられるとともに、内板から外板に亘る形状であるため施工性が良い。
【００１１】
前記孔は、長孔であり、その長手方向が前記トリムの長手方向に沿って千鳥状に複数形成されていることを特徴としている。
この特徴によれば、複数の孔をトリムの長手方向に沿って千鳥状に設けることにより、低温の熱が熱伝導することが抑制される。
【００１２】
前記側板体は、前記内板および前記外板の周縁部の間に低熱伝導性のスペーサが配設されていることを特徴としている。
この特徴によれば、トリムをスペーサで支持することができるため、トリムを補強することができる。
【００１３】
前記低熱伝導領域は、前記透明板の周端面に取着される樹脂製の受け部材で被装されていることを特徴としている。
この特徴によれば、樹脂は熱伝導率が低いことから、庫内の低温の熱が透明板側からトリムの庫外側に熱伝導することを防ぐことができる。
【図面の簡単な説明】
【００１４】
【図１】実施例１におけるオープンショーケースを示す斜視図である。
【図２】オープンショーケースの構造を示す側面から見た断面図である。
【図３】側板体の側板本体の分解斜視図である。
【図４】側板体の窓部及び側板本体の分解斜視図である。
【図５】側板体の窓部の一部を拡大して示す斜視図である。
【図６】側板体の窓部における熱伝導態様を正面から見た断面模式図である。
【図７】実施例２におけるトリムの熱伝導態様を示す上面模式図である。
【発明を実施するための形態】
【００１５】
本発明に係る冷凍・冷蔵ショーケースを実施するための形態を実施例に基づいて以下に説明する。
【実施例１】
【００１６】
実施例１に係る冷凍・冷蔵ショーケースにつき、図１から図６を参照して説明する。以下、図２の紙面左側を冷凍・冷蔵ショーケースの正面側（前方側）とし、その前方側から見たときの上下左右方向を基準として説明する。また、図３〜図６については、紙面左側を庫内Ａ側、紙面右側を庫外Ｂ側として説明する。
【００１７】
本実施例の冷凍・冷蔵ショーケース１は、スーパーマーケット、コンビニエンスストア等において日配食品や生鮮食料品等の商品を保冷した状態で陳列するために設置される。図１に示されるように、冷凍・冷蔵ショーケース１は、上方に設けられ商品（図示略）が冷却・収納される保冷室２０を備えるケース本体２と、該ケース本体２の両側部に装着される側板体３，３’と、から主に構成されている。側板体３は、詳しくは後述する風防ガラス５０（透明板）が装着された窓部５を備え、窓部５を介して庫外から庫内を視認可能に構成されている。尚、側板体３’については、側板体３を略左右反転に形成した略同一構成のものであるため、詳しい説明については省略する。更に尚、冷凍・冷蔵ショーケース１は左右に複数並べられて設置でき、この場合冷凍・冷蔵ショーケース１同士の対向部における側板体３は省略される。つまり、冷凍・冷蔵ショーケース１が左右に複数並べられる場合には、左右両端に配置される冷凍・冷蔵ショーケース１の片側の側部に側板体３がそれぞれ装着され、冷凍・冷蔵ショーケース１が単独で配置される場合には、冷凍・冷蔵ショーケース１の両側部に側板体３，３’が装着される。
【００１８】
図２に示されるように、ケース本体２は、前面（図の左方）が開放された側面視略コ字形をなす断熱構造の外箱２１と、その内方の、同じく前面が開放された側面視略コ字形の内箱２２と、からなり、内箱２２の内方の空間が保冷室２０となっている。内箱２２の背面部２２ａには、前後に延びるブラケット２０ｂ，２０ｂ，…の後端が取付けられており、ブラケット２０ｂ，２０ｂ，…の上に棚板２０ａ，２０ａ，…が配設されている。この各棚板２０ａ，２０ａ，…と内箱２２の底部２２ｂとの上面に、商品（図示略）が陳列されるようになっている。
【００１９】
外箱２１と内箱２２との間には、冷気循環経路２３が形成され、この冷気循環経路２３の鉛直部と水平底部には、それぞれ蒸発器２４ａと送風機２４ｂが設置されている。蒸発器２４ａは、その周囲の空気を冷却することができるようになっている。また、蒸発器２４ａの前面側には、断熱材２４ｃが設けられており、蒸発器２４ａと内箱２２を介した保冷室２０側との熱交換が抑えられている。ケース本体２の上部の前端には、冷気循環経路２３と連通する冷気吹出口２３ａが下向きに形成され、またケース本体２の下部の前端には、上方に開口する冷気の吸込口２３ｂが形成されている。
【００２０】
送風機２４ｂを作動させると、蒸発器２４ａにより冷却された冷気は、矢印のように、冷気循環経路２３内を上方に向かって流れ、冷気吹出口２３ａより、下方の吸込口２３ｂに向かって吹き出される。これにより、ケース本体２の前面の開放面に冷気のエアカーテン２５が形成されるとともに、その冷気の一部が保冷室２０内に流入することにより、陳列商品が保冷されるようになる。
【００２１】
図１に示されるように、側板体３は、冷凍・冷蔵ショーケース１の前面側に切欠き部４ａを備える側板本体４と、側板本体４の切欠き部４ａに後述する受け部材５１，５２（図３参照）を介して嵌合される風防ガラス５０と、から主に構成され、風防ガラス５０を介して庫外Ｂから庫内Ａを視認可能な窓部５が形成されている。側板本体４は、風防ガラス５０を嵌合可能に所定の厚さ寸法を有しており、側板本体４の前面側に形成される切欠き部４ａは、保冷室２０内の底部２２ｂの高さ位置近くまで開口しており、側板本体４の周縁部のうち略水平方向に延びる横周縁部４ｃと、横周縁部４ｃの後端部から略垂直方向に所定高さ延びて更に連続して前上方に向かって延びる縦周縁部４ｂとによって区画されている。以降、側板本体４および窓部５について詳しく説明する。
【００２２】
まず、側板本体４について説明する。側板本体４は、図３に示されるように、前面（図の左方）が切欠かれた側面視略コ字状をなす内板４０と、同じく前面が切欠かれた側面視略コ字状をなし内板４０と対向する外板４１と、内板４０および外板４１の周縁部に沿って形成されたスペーサ４２と、側板本体４の周縁部の前方部分に組付けられる第１トリム４３、第２トリム４４，４４’、第３トリム４５，４５’および第４トリム４６と、内板４０と外板４１との周端部の間にスペーサ４２が配設された空間内に充填された断熱材４７と、から構成されている。尚、図３は、組立後の側板本体４を分解して示した分解斜視図であり、便宜上断熱材４７は充填後かつ硬化した状態ものが図示されている。
【００２３】
内板４０および外板４１は、ステンレス鋼材の薄板により形成されており、側板体３をケース本体２に取付けた際、内板４０は保冷室２０に面して配置され、外板４１は庫外側に配置される。
【００２４】
スペーサ４２は、硬質の低熱伝導性材で形成されている。また、スペーサ４２は、縦周縁部４ｂに庫内Ａ側からスリット４２ａ，４２ａ’が互いに所定間隔離間した状態で長尺方向に延設され、横周縁部４ｃに庫内Ａ側からスリット４２ｂ，４２ｂ’（詳しくは図６参照）が互いに所定間隔離間した状態で長尺方向に延設されている。また、スペーサ４２には、スリット４２ａ，４２ａ’およびスリット４２ｂ，４２ｂ’が形成されることで、これら間に中央部４２ｃ（図６参照）が形成されている。
【００２５】
図６に示されるように、第３トリム４５，４５’は、それぞれステンレス鋼材を押出し形成することで断面視略コ字状に形成されている。尚、第１トリム４３、第２トリム４４および第４トリム４６の長さ寸法と違いはあるものの、第１トリム４３、第２トリム４４，および第４トリム４６の各断面形状については、図６における第３トリム４５，４５’の断面形状をと略同一形状であるため、直接の図示を省略する。
【００２６】
図３および図４に示されるように、第１トリム４３と第４トリム４６は、内板４０から外板４１に亘って組付けられている。された状態で固定される。同様に、第２トリム４４と第３トリム４５は、内板４０からスペーサ４２のスリット４２ａ，４２ｂに亘って挿嵌された状態で固定され、第２トリム４４’と第３トリム４５’は、外板４１からスペーサ４２のスリット４２ａ’，４２ｂ’に亘って挿嵌された状態で固定される。
【００２７】
詳しくは、図５，図６に示されるように、第３トリム４５は、第３トリム４５を組付け前の側板本体４における内板４０からスペーサ４２のスリット４２ｂにかけての幅寸法と略同一寸法に形成される基板部４５ａと、基板部４５ａの幅方向両側端部から略直交して延設する突出部４５ｂ，４５ｂと、から構成されており、第３トリム４５を組付け前の側板本体４における横周縁部４ｃに沿うように形成されている。尚、第３トリム４５と第３トリム４５’は、取付位置以外は略同一構成であるため、第３トリム４５’の説明を省略する。
【００２８】
また、第３トリム４５は、内板４０の庫内Ａ方向からスペーサ４２のスリット４２ｂに亘って庫内Ａ側の突出部４５ｂを内板４０に面接させ、庫外Ｂ側の突出部４５ｂをスリット４２ｂに挿嵌させた状態で横周縁部４ｃに固定されている。このようにして、第３トリム４５は、基板部４５ａが内板４０からスリット４２ｂにかけての周縁部を覆っており、スリット４２ｂに挿嵌された突出部４５ｂがスペーサ４２の中央部４２ｃに面接している。一方、第３トリム４５’は外板４１の庫外Ｂ方向から横周縁部４ｃに固定されており、第３トリム４５と左右対称であるため、詳細な説明は省略する。
【００２９】
すなわち、第３トリム４５，４５’は、スペーサ４２のスリット４２ｂ，４２ｂ’がスペーサ４２の中央部４２ｃを挟んで互いに離間配置されていることから、図６に示されるように、第３トリム４５，４５’を横周縁部４ｃに組付けた際に、互いに非接触状態で離間配置されている。また、スペーサ４２は、低熱伝導性であるため、第３トリム４５，４５’が接触する中央部４２ｃに対して熱伝導し難い。これらにより、隣接する第３トリム４５，４５’との間において直接的な熱伝導が行われ難くなっている。言い換えれば、離間配置される第３トリム４５トリム４５，４５’との間には、熱伝導し難い低熱伝導領域６ａが構成されている。
【００３０】
また、スリット４２ｂ，４２ｂ’は、第３トリム４５，４５’を側板本体４の横周縁部４ｃにそれぞれ組付ける際に、第３トリム４５，４５’の一端の突出部４５ｂ，４５ｂが挿嵌されることで、幅方向における第３トリム４５，４５’の組付け位置が案内されるため、第３トリム４５，４５’を側板本体４の横周縁部４ｃにそれぞれ組付ける際の位置決めが容易である。尚、スリット４２ａ，４２ａ’については、第２トリム４４，４４’が組付けられること以外はスリット４２ｂ，４２ｂ’と略同一態様であるため、説明を省略する。
【００３１】
尚、第２トリム４４，４４’は、第２トリム４４，４４’を組付け前の側板本体４における縦周縁部４ｂに沿うように形成されていること以外は、第３トリム４５，４５’と略同一構成であるため、説明を省略する。
【００３２】
第２トリム４４，４４’は、第３トリム４５，４５’と同様に、図３，図４に示されるように、スペーサ４２のスリット４２ａ，４２ａ’がスペーサ４２の中央部４２ｃを挟んで互いに離間配置され、第３トリム４５，４５’を横周縁部４ｃに組付けた際に、互いに非接触状態で離間配置されていることから、離間配置される第３トリム４５，４５’との間には、熱伝導し難い低熱伝導領域６ｂが構成されている。
【００３３】
図４に示されるように、トリム４３，４４，４５，４６，…を、側板本体４の周縁部に組付けることで、内板４０および外板４１それぞれの周縁部や、その間に配設されるスペーサ４２が露出することを防ぐことができる。これにより、側板本体４の周縁部に人や物が接触しても、その衝撃が内板４０、外板４１、スペーサ４２等に直接伝わることを防ぐことができるため、トリム４３，４４，４５，４６，…が取付けられた側板本体４の周縁部を保護することができる。
【００３４】
また、トリム４３，４４，４５，４６，…は、側板本体４の周縁部に組付けた際に、各基板部４３ａ，４４ａ，４５ａ，４６ａ，…が長尺方向において連続しているように演出することができるため、見栄えがよい。
【００３５】
また、トリム４３，４４，４５，４６，…は、基板部４３ａ，４４ａ，４５ａ，４６ａ，…の少なくとも一部がスペーサ４２に面接した状態で側板本体４の周縁部に組付けられているため、スペーサ４２およびスペーサ４２内に充填される断熱材４７によって支持された状態となっており、基板部４３ａ，４４ａ，４５ａ，４６ａ，…の強度が補強されている。これにより、側板本体４の周縁部の幅方向に亘って配設される基板部４３ａ，４４ａ，４５ａ，４６ａ，…に対して、略垂直方向に負荷が発生したとしても、スペーサ４２および断熱材４７によって支持されるため、基板部４３ａ，４４ａ，４５ａ，４６ａ，…が変形することを防ぐことができ、側板本体４の切欠き部４ａに取付けられた風防ガラス５０を、安定して支持することができる。
【００３６】
断熱材４７は、低熱伝導性である硬質ウレタンフォームであり、内板４０と外板４１との周端部の間にスペーサ４２が配設された空間内充填される際には、多量の泡を含むクリーム状となっており、充填後時間の経過とともに硬化する。
【００３７】
このようにして形成される側板本体４は、内板４０と外板４１との間の空間に、低熱伝導性であるスペーサ４２と断熱材４７を備えているため、内板４０と外板４１との間で、直接的な熱伝導が行われ難くなっている。
【００３８】
次いで、図４〜図６を用いて、窓部５について説明する。図４に示されるように、窓部５は、受け部材５１，５２と、カバー部材５３と、保持具５４，５５と、により、風防ガラス５０が側板本体４の切欠き部４ａに取付けられることで形成されている。尚、説明の都合上、図５において、後述する保持具５５を二点鎖線で図示している。
【００３９】
風防ガラス５０は、ペアガラスであり、略垂直方向に延びる前周縁部５０ａと、前周縁部５０ａの下端から略水平方向に延びる横周縁部５０ｃと、横周縁部５０ｃの後端部から略垂直方向に所定高さ延びて更に連続して前上方に向かって延びる縦周縁部５０ｂと、を備えている。尚、風防ガラス５０は、ガラスやアクリル樹脂等の一枚板で形成されていてもよく、ペアガラスに限定するものではない。さらに尚、図６では、風防ガラス５０の詳しい図示を省略している。
【００４０】
受け部材５１，５２は、低熱伝導性の樹脂を押出成形により断面視略コ字状に形成されている。尚、受け部材５１の断面形状は、図５，６における受け部材５２の断面形状と略同一形状であるため、直接の図示を省略する。
【００４１】
図５，図６に示されるように、受け部材５２は、風防ガラス５０の厚み方向に延設される基板部５２ａと、基板部５２ａの幅方向両側端部から略垂直に延設する突出部５２ｂ，５２ｂと、から構成されており、風防ガラス５０の縦周縁部５０ｂに沿って挿嵌可能に形成されている。
【００４２】
尚、受け部材５１は、風防ガラス５０の横周縁部５０ｃに沿って嵌合可能に形成されていること以外は、受け部材５２と略同一構成であるため、説明を省略する。
【００４３】
図５，図６に示されるように、風防ガラス５０の横周縁部５０ｃに嵌合された状態にある受け部材５２は、受け部材５２の基板部５２ａの幅方向両側端部が、側板本体４の横周縁部４ｃに組付けられる第３トリム４５，４５’の基板部４５ａ，４５ａに架設された状態で配設される。言い換えれば、受け部材５２は、第３トリム４５，４５’の間に構成される低熱伝導領域６ｂを跨いだ状態で第３トリム４５，４５’に架設されている。
【００４４】
このとき、受け部材５２は、基板部５２ａが第３トリム４５，４５’との間に庫内Ａ側から庫外Ｂ側に連続する隙間が形成されないように面接しているため、後述する保持具５４，５５により風防ガラス５０を側板本体４に取付けた際に、受け部材５２と第３トリム４５，４５’との間から保冷室２０内の冷気が流出することを防ぐことができる。尚、受け部材５２と第３トリム４５，４５’との間には、ゴムパッキン等を介在させることでシール性を高めてもよい。
【００４５】
また、図５に示されるように、受け部材５２の基板部５２ａの幅方向両側端部が、側板本体４の横周縁部４ｃに組付けられた際に、第３トリム４５，４５’の前端部は、受け部材５２の前端部よりも前方に位置しており、同様に、低熱伝導領域６ｂについても、風防ガラス５０よりも前方に延設されている。
【００４６】
また、受け部材５２は、風防ガラス５０が第３トリム４５，４５’に直接接触することを防いでおり、樹脂で形成されていることから、風防ガラス５０の横周縁部５０ｃと第３トリム４５，４５’との間で衝撃が発生しても緩和されるため、風防ガラス５０を保護することができる。
【００４７】
尚、風防ガラス５０の縦周縁部５０ｂに嵌合された状態における受け部材５１は、第２トリム４４，４４’に架設した状態で配設されること以外は、受け部材５２と略同一態様であるため、説明を省略する。
【００４８】
図４，図５に示されるように、カバー部材５３は、ステンレス鋼材を断面視略コ字状に押出成形することで形成されており、風防ガラス５０の前周縁部５０ａに嵌合可能に形成されている。これにより、前方に位置していることから人の手や物等が接触する機会の多い風防ガラス５０の前周縁部５０ａを接触における衝撃から保護することができる。
【００４９】
図４，５に示されるように、保持具５５は、風防ガラス５０が側板本体４から脱落することを防ぐために取付けられるものであって、ステンレス鋼材を鋳造成形することで形成されており、受け部材５１，５２を介して側板本体４の切欠き部４ａに風防ガラス５０が配設された際に、受け部材５２を含む風防ガラス５０の前方の下角に嵌合させ、かつ、第３トリム４５，４５’の露出している突出部４５ｂ，４５ｂに嵌合させた状態で、ボルトを締め付けることで突出部４５ｂ，４５ｂに取付けることができる。その際、保持具５５は、第３トリム４５，４５’の前端部が受け部材５２の前端部よりも前方に位置しており、その位置が保持具５５の取付位置に含まれていることから、保持具５５を取り付けることで第３トリム４５，４５’と第４トリム４６との境目を目立ちにくくすることができる。
【００５０】
図４に示されるように、保持具５４は、保持具５５と同様に、受け部材５１を含む風防ガラス５０の前方の上角に嵌合させ、かつ、第２トリム４４，４４’の露出している突出部４４ｂ，４４ｂに嵌合させた状態で、ボルトを増し締めし突出部４４ｂ，４５ｂに押圧させることで取付けることができる。その際、第１トリム４３と第２トリム４４，４４との境目を覆うように取付けられていることから、この境目を目立ちにくくすることができる。
【００５１】
これら保持具５４，５５により、風防ガラス５０を所定の配設位置に取付けることができる。このとき、第２トリム４４，４５，…がステンレス鋼材で形成されているため、保持具５４，５５のボルトを増し締した際に破損し難いことから、保持具５４，５５を強固に組付けることができる。
【００５２】
また、風防ガラス５０を取付けることによって、第２トリム４４，４４’との間の低熱伝導領域６ａおよび第３トリム４５，４５’との間の低熱伝導領域６ｂは、受け部材５１，５２によって覆われることから、第２トリム４４，４４’および第３トリム４５，４５’が、内板４０から外板４１に亘って一体形成されているように見え、外観上トリム４３，４４，４５，４６，…の一体感が増すことから美観性がよい。
【００５３】
これまで、側板体３の構造について詳しく説明してきたが、これより図６を用いて、低熱伝導領域６ｂにおける熱伝導の態様について詳しく説明する。尚、低熱伝導領域６ａにおける熱伝導の態様については、低熱伝導領域６ｂと同様であることから、その説明を省略する。さらに尚、図６に図示される白抜き矢印は、低温の熱Ｃの移動方向を表しており、白抜き破線矢印は、低温の熱Ｃの熱伝導が抑制されている態様を示している。
【００５４】
図６に示されるように、庫内Ａ側に配設される第３トリム４５は、一部が保冷室２０（図１参照）に露出していることから、白抜き矢印で示すように、当該露出している部分は保冷室２０内の冷気が当たって冷却される。次に、当該部分が冷却されることで、白抜き矢印で示すように、第３トリム４５の保冷室２０に露出していない部分に低温の熱Ｃが熱伝導する。このようにして、第３トリム４５は冷却されて、保冷室２０の温度と略同一温度となる。厳密には、スリット４２ｂに挿嵌される側の突出部４５ｂ側の温度が高い。
【００５５】
庫外Ｂ側に配設される第３トリム４５’は、一部が庫外Ｂに露出していることから、保冷室２０を保冷する冷気の低温の熱Ｃと比較した際に相対的に高い庫外温度と略同一となる。
【００５６】
このように、第３トリム４５と第３トリム４５’とでは、互いに温度差が発生するものの、低熱伝導領域６ｂを挟んでいることから、白抜き破線矢印で示すように、第３トリム４５と第３トリム４５’との間で直接的な熱伝導が抑制されている。具体的には、熱伝導率の高い金属製かつ庫内の冷気の影響を受けやすい窓部５に配設されている第３トリム４５，４５’であっても低熱伝導領域６ｂでは熱伝導が抑制される。
【００５７】
また、第３トリム４５と第３トリム４５’間の熱伝導が抑制されていることから、庫外Ｂの暖かい熱が保冷室２０内に熱伝導することについても抑制されているため、保冷室２０内の保冷効率を高めることができる。
【００５８】
スペーサ４２は、上述したように低熱伝導性のウレタンフォームで形成されていることから、白抜き破線矢印で示すように、組付けられた第３トリム４５，４５’からスペーサ４２に熱伝導することが抑制されているため、スペーサ４２を介して第３トリム４５，４５’間での熱伝導が抑制されている。
【００５９】
受け部材５２は、一部が保冷室２０に露出し、かつ、第３トリム４５に接触しているが、上述したように樹脂で形成されており低熱伝導性であることから、白抜き破線矢印で示すように、保冷室２０内や冷却された第３トリム４５の低温の熱Ｃが保冷室２０に露出している受け部材５２の部分に熱伝導し難いため、受け部材５２が冷却されることが抑制されている。同様に、庫外Ｂ側から暖かい熱により暖められることも抑制されている。これにより、保冷室２０の低温の熱Ｃが風防ガラス５０側から庫外Ｂ側の第３トリム４５’に熱伝導することを防ぐことができる。
【００６０】
これまで説明してきたように、第２トリム４４，４４’および第３トリム４５，４５’は、風防ガラス５０（透明板）の周縁部に対向する部位において低熱伝導領域６ａ，６ｂが配設されているため、第２トリム４４，４４’および第３トリム４５，４５’を介して庫内Ａ側から庫外Ｂ側へ低温の熱Ｃの伝導が少なくなり、トリム４４’ ，４５’の庫外Ｂ側が冷却されることを抑制できる。すなわち、庫外Ｂ側の第３トリム４５’に結露が発生することを抑制することができる。
【実施例２】
【００６１】
次に、実施例２に係る冷凍・冷蔵ショーケース１につき、図７を参照して詳しく説明する。尚、前記実施例１と同一構成で重複する構成を省略する。
【００６２】
内板４０から外板４１に亘って一体に形成されたトリム１４５は、側板本体４の横周縁部４ｃに組付けられており、図７に示されるように、基板部１４５ａの幅方向略中央において、パンチングによって形成された複数の長孔１０６ｂ（低熱伝導領域）を備えている。詳しくは、長孔１０６は、長孔１０６ｂの長手方向がトリム１４５の長手方向に沿って千鳥状に複数形成されている。これら複数の長孔１０６ｂが離間配置されていることから、低温の熱Ｃが複数の長孔１０６ｂの間に位置する基板部１４５ａに沿って庫内Ａ側から庫外Ｂ側に移動する。言い換えれば、基板部１４５ａは、複数の長孔１０６ｂによって熱伝導する領域が減少されている。このことから、複数の長孔１０６ｂにより、トリム１４５の庫外Ｂ側に熱伝導する低温の熱Ｃの量を抑制することができる。
【００６３】
また、長孔１０６ｂは、長孔１０６ｂの一端から他端が離間していることから、長孔１０６ｂの一端から他端に向かって、直接的な熱伝導を抑制している。すなわち、長孔１０６ｂは、低熱伝導領域である。
【００６４】
また、トリム１４５は、複数の長孔１０６ｂをトリム１４５の長手方向に沿って千鳥状に設けることにより、低温の熱Ｃが略直線状にトリム１４５の庫内Ａ側から庫外Ｂ側に熱伝導することが抑制されるため、トリム１４５における熱伝導を好適に抑制することができる。
【００６５】
また、トリム１４５は、複数の長孔１０６ｂがトリム１４５の長手方向に沿って千鳥状に設けられているため、複数の長孔１０６ｂが形成されることによるトリム１４５の強度の損失が低減されることから、トリム１４５の強度を保ち易い。
【００６６】
また、複数の長孔１０６ｂは、トリム１４５の基板部１４５ａの略中央に設けられていることから、風防ガラス５０を取付けた際に、受け部材５２により覆われるため、外観上の美観性がよい。
【００６７】
尚、トリム１４４は、側板本体４の縦周縁部４ｂに組付けられること以外は、トリム１４５と略同一構成であるため、説明を省略する。同様に、複数の長孔１０６ａの説明についても省略する。
【００６８】
これらのように、一部品で形成されたトリム１４４，１４５に低熱伝導領域を構成することができるため、トリム１４４，１４５を取付けるだけで熱伝導を抑制できることから部品点数が抑えられるとともに、内板４０から外板４１に亘る形状であるため施工性が良い。尚、トリム１４４，１４５は、連続して一体に形成されていてもよく、他のトリム４３，４６と連続して一体に形成されていてもよい。
【００６９】
トリム１４５は、複数の長孔１０６ｂがトリム１４５の長手方向に沿って千鳥状に設けられている態様として説明したが、これに限らず、長手方向に沿って一つの長孔が設けられていてもよく、丸孔が略直線状に複数設けられていてもよく、長孔が長手方向かつ幅方向に亘って複数設けられていてもよく、複数の長孔１０６ｂがトリム１４５の長手方向に沿って千鳥状に設けられている態様に限定するものではない。
【００７０】
以上、本発明の実施例１，２を図面により説明してきたが、具体的な構成はこれら実施例１，２に限られるものではなく、本発明の要旨を逸脱しない範囲における変更や追加があっても本発明に含まれる。
【００７１】
例えば、前記実施例１では、低熱伝導領域６ａ，６ｂは、それぞれ第２トリム４４，４４’および第３トリム４５，４５’の間に形成される態様として説明したが、これに限らず、側板本体４の周縁部の幅方向に３つ以上のトリムを配設することで、低熱伝導領域が複数形成されていてもよい。この態様であれば、熱伝導を抑制するとともに、風防ガラス５０や受け部材５１，５２等の幅寸法に応じて複数のトリムを配設することができる。
【００７２】
また、低熱伝導領域６ａ，６ｂおよび低熱伝導領域である複数の長孔１０６ａ，１０６ｂは、風防ガラス５０を取付ける際に、受け部材５１，５２によって覆われる態様として説明したが、これに限らず、窓部５のデザインに応じて露出していてもよい。
【００７３】
また、トリムは、トリム４３，４４，４５，４６，…が側板本体４の周縁部における前方部分に組付けられる態様として説明したが、これに限らず、側板本体４の周縁部全体に複数のトリムが組付けられる態様であってもよい。
【００７４】
また、窓部５は、側板本体４の前面側に形成される切欠き部４ａに風防ガラス５０を取付けることで形成される態様として説明したが、これに限らず、側板本体４の略中央に形成される丸孔に風防ガラスを取付ける態様であってもよく、その形状を限定するものではない。
【００７５】
また、スペーサ４２は、硬質の低熱伝導性材で形成されている態様として説明したが、これに限らず、低熱伝導性であればよく、木材や低熱伝導性の樹脂等で形成されていてもよい。また、内板４０および外板４１の周縁部に沿って形成された態様であるとして説明したが、これに限らず、必要な部分にのみ配設されていてもよく、その態様を限定するものではない。
【００７６】
ここで、低熱伝導領域が構成される位置について説明すると、実施例１，２においては、側板本体４の縦周縁部４ｂおよび横周縁部４ｃのそれぞれに構成されている態様として説明してきたが、これに限らず、縦周縁部４ｂまたは横周縁部４ｃの一方にのみ構成されている態様であってもよい。また、低熱伝導領域は、風防ガラス５０の縦周縁部５０ｂや横周縁部５０ｃと略同じ長さに亘って形成されているばかりでなく、縦周縁部５０ｂや横周縁部５０ｃよりも長く形成されていても短く形勢されていてもよい。
【００７７】
１                冷蔵ショーケース
２                ケース本体
３，３’          側板体
４ａ              切欠き部
４ｂ              縦周縁部
４ｃ              横周縁部
５                窓部
６ａ，６ｂ        低熱伝導領域
４０              内板
４１              外板
４２              スペーサ
４３              第１トリム
４４，４４’      第２トリム
４５，４５’      第３トリム
４６              第４トリム
４７              断熱材
５０              風防ガラス（透明板）
５１，５２        受け部材
１０６ａ，１０６ｂ長孔
１４４，１４５    トリム
Ａ                庫内
Ｂ                庫外
Ｃ                低温の熱
【図１】
2019013489.tif 000003
【図２】
2019013489.tif 000004
【図３】
2019013489.tif 000005
【図４】
2019013489.tif 000006
【図５】
2019013489.tif 000007
【図６】
2019013489.tif 000008
【図７】
2019013489.tif 000009